(57)【要約】【課題】メール作成時にメール機能を終了させることなく、カメラ撮影を行うことができ、さらに、撮影した画像を作成中のメールに添付することができる携帯端末装置及び携帯端末装置のメール作成方法を提供すること。【解決手段】メール機能起動中に操作部２４からカメラ機能の起動を指示する制御信号が送られてくると、ＣＰＵ２３はメモリ２５からカメラ機能を実行するためのソフトウェアを読み出し、実行する。さらに、メール機能起動中に、操作部２４からカメラ機能の起動を解除する制御信号が送られてくると、ＣＰＵ２３は当該ソフトウェアを終了させる。【選択図】      図１
2004260760.tif 000002
【特許請求の範囲】
【請求項１】
メール作成手段と、撮影手段と、該撮影手段により撮影した画像を添付ファイルとする添付手段とを備えてなる携帯端末装置において、
前記メール作成手段によるメール作成中に前記撮影手段を起動させて撮影可能状態とする起動手段を備え、
前記添付手段は前記起動手段により前記撮影手段を起動して撮影した画像を前記作成中のメールの添付ファイルとすることを特徴とする携帯端末装置。
【請求項２】
メール作成手段と、撮影手段と、該撮影手段により撮影した画像を添付ファイルとする添付手段とを備えてなる携帯端末装置において、
前記メール作成手段によるメール作成中に前記撮影手段を起動させて撮影可能状態とする起動手段を備え、
前記添付手段は前記起動手段により前記撮影手段を起動して撮影した画像を、前記作成中のメールの添付ファイル候補として選択可能とすることを特徴とする携帯端末装置。
【請求項３】
請求項１又は請求項２に記載の携帯端末装置において、
前記起動手段による撮影可能状態時に前記撮影手段による撮り直しを指定する指定手段、及び／又は前記起動手段による撮影可能状態時に撮影した画像を削除する削除手段を備えたことを特徴とする携帯端末装置。
【請求項４】
請求項１又は請求項２に記載の携帯端末装置において、
前記起動手段による前記撮影手段の起動を解除し、前記メール作成状態に戻る起動解除手段を備えたことを特徴とする携帯端末装置。
【請求項５】
請求項１又は請求項２に記載の携帯端末装置において、
前記起動手段は前記メール作成中に添付ファイルの指定がなされた後、あるいは添付ファイルとして前記起動手段による前記撮影手段による撮影が指定された後に前記撮影手段を起動させることを特徴とする携帯端末装置。
【請求項６】
メール機能とカメラ機能とを備えた携帯端末装置のメール作成方法において、
メール作成中にカメラ機能を起動させ、該カメラ機能により撮影した画像を前記作成中のメールに添付ファイルとして添付することを特徴とする携帯端末装置のメール作成方法。
【発明の詳細な説明】
【０００１】
【発明の属する技術分野】
本発明は、メール機能とカメラ機能とを搭載した携帯電話機やＰＤＡ（Ｐｅｒｓｏｎａｌ  Ｄｉｇｉｔａｌ  Ａｓｓｉｓｔａｎｔｓ）等の携帯端末装置、及びこれら携帯端末装置のメール作成方法に関するものである。
【０００２】
【従来の技術】
近年、携帯電話機やＰＤＡ等の携帯端末装置は、携帯端末装置本来の機能に加え、付加的な機能を追加したものが種々提案されており、その一つにメール機能とカメラ機能とを備えたものがある。
また、カメラ機能を用いて撮影した画像の数が予め設定した添付数に達すると、メールに添付して所定の送信先に送付することができる等、両機能を連動させることのできる携帯端末装置もある。
さらに、特許文献１には、接続処理中又は呼出し中に発信者を撮影し、撮り込まれた画像ファイルを通信データチャネル容量に応じて画像処理し、相手側端末に送信することのできる携帯端末装置が開示されている。
【０００３】
【特許文献１】
特開２００１−３０８９８３号公報
【０００４】
【発明が解決しようとする課題】
しかしながら、従来の技術では、メール作成時にカメラ機能を起動し、撮影した画像を添付ファイルとすることはもとより、メール作成時にカメラ機能を起動することさえできなかった。
そのため、新たに撮影した画像を作成中のメールに添付しようとする場合、一旦、メール機能を終了させなければならず操作性の点で問題があった。
【０００５】
【発明の目的】
従って、本発明の目的は、メール作成時にメール機能を終了させることなく、カメラ撮影を行うことができ、さらに、撮影した画像を作成中のメールに添付することのできる携帯端末装置及び携帯端末装置のメール作成方法を提供することである。
【０００６】
【課題を解決するための手段】
そこで、上記課題を解決するため、本願第１の発明である携帯端末装置は、メール作成手段と、撮影手段と、該撮影手段により撮影した画像を添付ファイルとする添付手段とを備えてなり、メール作成手段によるメール作成中に撮影手段を起動させて撮影可能状態とする起動手段を備え、添付手段は起動手段により撮影手段を起動して撮影した画像を作成中のメールの添付ファイルとすることを特徴とする。
【０００７】
また、本願第２の発明である携帯端末装置は、メール作成手段と、撮影手段と、該撮影手段により撮影した画像を添付ファイルとする添付手段とを備えてなり、メール作成手段によるメール作成中に撮影手段を起動させて撮影可能状態とする起動手段を備え、添付手段は起動手段により撮影手段を起動して撮影した画像を、作成中のメールの添付ファイル候補として選択可能とすることを特徴とする。
【０００８】
上記携帯端末装置は、起動手段による撮影可能状態時に撮影手段による撮り直しを指定する指定手段、及び／又は起動手段による撮影可能状態時に撮影した画像を削除する削除手段を備えることが好ましい。
上記携帯端末装置は、起動手段による撮影手段の起動を解除し、メール作成状態に戻る起動解除手段を備えることが好ましい。
上記携帯端末装置おいて、起動手段はメール作成中に添付ファイルの指定がなされた後、あるいは添付ファイルとして起動手段による撮影手段による撮影が指定された後に撮影手段を起動させることが好ましい。
さらに、本願第３の発明であるメール機能とカメラ機能とを備えた携帯端末装置のメール作成方法は、メール作成中にカメラ機能を起動させ、該カメラ機能により撮影した画像を作成中のメールに添付ファイルとして添付することが好ましい。
【０００９】
【発明の実施の形態】
以下、添付図面を参照しながら、本発明の実施形態について説明する。
（１）携帯電話機のブロック図の説明
図１は、本発明の実施の形態である携帯電話機の全体構成を示すブロック図である。図示するように、本携帯電話機はアンテナ１、スイッチ２、フィルタ３、アンプ４、ミキサ５、フィルタ６、ミキサ７、フィルタ８、アンプ９、フィルタ１０、アンプ１１、ミキサ１２、アンプ１３、シンセサイザ１４、モデム１５、フレ−ムプロセッサ１６、コ−デック１７、マイク１８、アンプ１９、受話スピ−カ２０、アンプ２１、着信音スピ−カ２２、ＣＰＵ（中央処理装置）２３、操作部２４、メモリ２５、ＬＣＤ表示部２６、バイブレータ２７を具備する。
【００１０】
アンテナ１は基地局と交信するアンテナである。スイッチ２はアンテナ１の送／受切替用スイッチである。アンテナ１で受信された受信信号は、スイッチ２及びフィルタ３を通りアンプ４で増幅され、ミキサ５でシンセサイザ１４の出力する周波数で第１周波数変換される。該変換された信号はフィルタ６を通過し、ミキサ７で第２周波数変換され、該変換された信号はフィルタ８を通り、アンプ９で増幅されモデム１５で復調される。復調された受信信号はフレ−ムプロセッサ１６でフレ−ム単位に処理され、コ−デック１７でデコ−ドされアンプ１９を介し受話スピ−カ２０から音声として出力される。
マイク１８から出力された音声信号はコ−デック１７でコ−ド化されフレ−ムプロセッサ１６でフレ−ム単位に処理され、モデム１５で変調される。変調された送信信号はアンプ１３で増幅され、ミキサ１２で出力周波数に変換され、アンプ（パワ−アンプ）１１で増幅され、フィルタ１０、スイッチ２及びアンテナ１を介して出力される。
【００１１】
携帯電話機は常時、アンテナ１を通して基地局とコントロ−ルチャネルを介して交信し自分の居場所（サ−ビスエリア）をシステムに知らせている。ＣＰＵ２３はシンセサイザ１４、モデム１５、フレ−ムプロセッサ１６、コ−デック１７の制御及び操作部２４からの信号により端末全体を制御する。着信音はアンプ２１を介し着信音スピ−カ２２から出力される。受話スピ−カ２０用のアンプ１９及び、着信音スピ−カ２２用のアンプ２１は共に増幅度を変えることができるアンプで、受話スピ−カ２０用のアンプ１９の増幅度も操作部２４から設定することが出来る。着信音スピ−カ２２用のアンプ２１の増幅度も同様である。
【００１２】
操作部２４は、テンキーその他機能キー等で構成されており、上記特定キーが押下された場合には、その旨を通知する信号をＣＰＵ２３に送る。
メモリ２５には各種アプリケーションを実行するためのソフトウェアが格納されており、操作部２４によって所定のアプリケーションの起動操作が行われた場合には、ＣＰＵ２３がメモリ２５から当該ソフトウェアを読出して実行する。
例えば、ユーザによってメール機能の起動操作が行われた場合、ＣＰＵ２３はメモリ２５からメール機能を実行するためのソフトウェアを読み出す。メール機能起動中は、メールメッセージを作成したり、同メッセージ及び添付ファイル等の送信データを指定された送信先アドレスに送信することができる。
【００１３】
カメラ３０は画像を撮影するための手段である。メモリ２５には、カメラ機能を実行させるためのソフトウェアも格納されており、操作部２４によってカメラ機能の起動操作が行われた場合には、ＣＰＵ２３がメモリ２５から当該ソフトウェアを読出して実行する。カメラ３０によって撮影された画像もメモリ２５に格納されており、メール機能起動時に、メモリ２５に格納されている画像を呼出し、添付ファイルとして送信することができる。
【００１４】
これに加え、本発明の実施の形態である携帯電話機は、メール機能起動中にカメラ機能を起動したり、その起動を解除することができる。
すなわち、メール機能起動中に、操作部２４からカメラ機能の起動を指示する制御信号が送られてくると、ＣＰＵ２３はメモリ２５からカメラ機能を実行するためのソフトウェアを読み出し、実行する。さらに、メール機能起動中に、操作部２４からカメラ機能の起動を解除する制御信号が送られてくると、ＣＰＵ２３は当該ソフトウェアを終了させる。
【００１５】
（２）本発明の実施の形態である携帯電話機の動作フロー
（２−１）第１の具体例
メール機能起動中の動作処理の第１の具体例について、図２の動作フローチャートを基に説明する。メール作成中（Ｓ２０１）に操作部２４からＣＰＵ２３へ、カメラ機能を起動する旨の制御信号が送信されると、ＣＰＵ２３はカメラ機能を起動する（Ｓ２０３）。その後、キャンセル操作があると（Ｓ２０５）メール作成中状態に戻る（Ｓ２０１）。
一方、カメラ機能を起動した（Ｓ２０３）後、カメラ撮影が行われると（Ｓ２０７）、撮影した１又は２以上の画像を作成中のメールの添付ファイルとし（Ｓ２０９）、メール作成中状態に戻る（Ｓ２０１）。
【００１６】
（２−２）第２の具体例
メール機能起動中の動作処理の第２の具体例について、図３の動作フローチャートを基に説明する。メール作成中（Ｓ３０１）に操作部２４からＣＰＵ２３へ、カメラ機能を起動する旨の制御信号が送信されると、ＣＰＵ２３はカメラ機能を起動する（Ｓ３０３）。その後、キャンセル操作があると（Ｓ３０５）メール作成中状態に戻る（Ｓ３０１）。
一方、カメラ機能を起動した（Ｓ３０３）後、カメラ撮影が行われると（Ｓ３０７）、撮影した画像を作成中のメールの添付ファイルとするか否かを確認するためのメッセージをＬＣＤ表示部２６に表示する（Ｓ３０９）。
Ｓ３０９において、添付ファイルとする旨を選択した場合は、撮影した画像を作成中のメールの添付ファイルとし（Ｓ３１１）、メール作成中状態に戻る（Ｓ３０１）。一方、Ｓ３０９において、添付ファイルとしない旨を選択した場合は、そのままメール作成中状態に戻る（Ｓ３０１）。
【００１７】
（２−３）第３の具体例
メール機能起動中の動作処理の第３の具体例について、図４の動作フローチャートを基に説明する。メール作成中（Ｓ４０１）に操作部２４からＣＰＵ２３へ、カメラ機能を起動する旨の制御信号が送信されると、ＣＰＵ２３はカメラ機能を起動する（Ｓ４０３）。その後、キャンセル操作があると（Ｓ４０５）メール作成中状態に戻る（Ｓ４０１）。
一方、カメラ機能を起動した（Ｓ４０３）後、カメラ撮影が行われると（Ｓ４０７）、撮影した画像を作成中のメールの添付ファイルとするか否かを確認するためのメッセージをＬＣＤ表示部２６に表示する（Ｓ４０９）。Ｓ４０９において、添付ファイルとする旨を選択した場合は、撮影した画像を作成中のメールの添付ファイルとし（Ｓ４１１）、メール作成中状態に戻る（Ｓ４０１）。
一方、Ｓ４０９において、添付ファイルとしない旨を選択した場合は、撮影した画像を削除し（Ｓ４１３）、撮り直しをするか否かを確認するためのメッセージをＬＣＤ表示部２６に表示する（Ｓ４１５）。
Ｓ４１５において「撮り直し」を選択した場合は、カメラ撮影状態に戻る（Ｓ４０７）。一方、Ｓ４１５において、「撮り直し」を選択しなかった場合にはメール作成中状態に戻る（Ｓ４０１）。
【００１８】
（２−４）第４の具体例
メール機能起動中の動作処理の第４の具体例について、図５の動作フローチャートを基に説明する。メール作成中（Ｓ５０１）に添付ファイルの指定操作が行われると、操作部２４からＣＰＵ２３へ、カメラ機能を起動する旨の制御信号が送信される。これに応答し、ＣＰＵ２３はカメラ機能を起動する（Ｓ５０５）。
カメラ機能を起動した（Ｓ５０５）後、カメラ撮影が行われると（Ｓ５０７）、撮影した画像を作成中のメールの添付ファイルとするか否かを確認するためのメッセージをＬＣＤ表示部２６に表示する（Ｓ５０９）。
Ｓ５０９において確定操作が行われた場合は、撮影した画像を作成中のメールの添付ファイルとし（Ｓ５１１）、メール作成中状態に戻る（Ｓ５０１）。一方、Ｓ５０９において、確定操作が行われなかった場合はメール作成中状態に戻る（Ｓ５０１）。
なお、図示していないが、本具体例の場合も第１〜３の具体例と同様に、カメラ起動後（Ｓ５０５）キャンセル操作によってカメラの起動を解除したり、カメラ撮影後（Ｓ５０７）の撮り直しを可能にしてもよい。
【００１９】
（２−５）第５の具体例
メール機能起動中の動作処理の第５の具体例について、図６の動作フローチャートを基に説明する。メール作成中（Ｓ６０１）に添付ファイルの指定操作が行われると、所定の選択肢（カメラ，ファイルフォルダ）をＬＣＤ表示部２６に表示する（Ｓ６０５）。
Ｓ６０５において、操作部２４からＣＰＵ２３へ「ファイルフォルダ」を選択する旨の制御信号が送られてきた場合には、メモリ２５に格納されている画像のファイル名をＬＣＤ表示部２６に一覧表示する。ユーザがファイル名を選択すると、対応するファイルをメモリ２５から取得し、作成中のメールの添付ファイルとし（Ｓ６１３）、メール作成中状態に戻る（Ｓ６０１）。
【００２０】
一方、Ｓ６０５において、操作部２４からＣＰＵ２３へ「カメラ」を選択する旨の制御信号が送られてきた場合には、カメラ機能を起動する（Ｓ６０７）。カメラ機能を起動した（Ｓ６０７）後、カメラ撮影が行われると（Ｓ６０９）、撮影した画像を作成中のメールの添付ファイルとするか否かを確認するためのメッセージをＬＣＤ表示部２６に表示する（Ｓ６１１）。
Ｓ６１１において確定操作が行われた場合は、撮影した画像を作成中のメールの添付ファイルとし（Ｓ６１３）、メール作成中状態に戻る（Ｓ６０１）。一方、Ｓ６１１において確定操作が行われなかった場合は、そのままメール作成中状態に戻る（Ｓ６０１）。
なお、図示していないが、本具体例の場合も第１〜３の具体例と同様に、カメラ起動後（Ｓ６０７）キャンセル操作によってカメラの起動を解除したり、カメラ撮影後（Ｓ６０９）の撮り直しを可能にしてもよい。
【００２１】
以上、本発明の実施形態について示したが、本発明は前述したものだけに限定されるものではなく、その範囲を逸脱しない限り、変更及び修正されたものにも適用できることは言う迄もない。
例えば、カメラ撮影時（図３のＳ３０７等）に複数の画像を撮影し、添付指示を行う時（図３のＳ３０９、図６のＳ６１１等）に添付する画像を選択できるようにしてもよい。
【００２２】
【発明の効果】
以上のように、本発明の携帯端末装置及び携帯端末装置のメール作成方法によれば、メール作成時にメール機能を終了させることなく、カメラ撮影を行うことができ、さらに、撮影した画像を作成中のメールに添付することができる。
【図面の簡単な説明】
【図１】本発明の実施の形態である携帯電話機の機能ブロック図。
【図２】本発明の実施の形態である携帯電話機の動作を説明するフローチャート。
【図３】本発明の実施の形態である携帯電話機の動作を説明するフローチャート。
【図４】本発明の実施の形態である携帯電話機の動作を説明するフローチャート。
【図５】本発明の実施の形態である携帯電話機の動作を説明するフローチャート。
【図６】本発明の実施の形態である携帯電話機の動作を説明するフローチャート。
【符号の説明】
２３      ＣＰＵ
２４      操作部
２５      メモリ
３０      カメラ
【図１】
2004260760.tif 000003
【図２】
2004260760.tif 000004
【図３】
2004260760.tif 000005
【図４】
2004260760.tif 000006
【図５】
2004260760.tif 000007
【図６】
2004260760.tif 000008